【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
ビデオデータを記憶するように構成されたメモリと、
プロセッサとを備え、前記プロセッサが、
前記ビデオデータを取得することと、
前記ビデオデータを使用して、符号化されたビデオビットストリーム内に含まれるピクチャと関連付けられる領域ネスティングメッセージを生成することであって、前記領域ネスティングメッセージが、前記領域ネスティングメッセージに含まれる或る数のネストされたメッセージと或る数の前記ピクチャの領域との関連付けを示す、生成することと、
前記領域ネスティングメッセージにより指定された前記数のピクチャの領域を示す第1のシンタックス要素を前記領域ネスティングメッセージに関して生成することであって、前記数の領域が、少なくとも、前記符号化されたビデオビットストリームの前記ピクチャの第1の領域および前記ピクチャの第2の領域を含む、生成することと、
前記ピクチャの前記第1の領域を特定する第1の領域識別値と、前記ピクチャの前記第2の領域を特定する第2の領域識別値とを、前記領域ネスティングメッセージに関して生成することであって、前記第1の領域識別値が前記第2の領域識別値よりも大きい、生成することと、
前記領域ネスティングメッセージ内の前記数のネストされたメッセージを示す第2のシンタックス要素を前記領域ネスティングメッセージに関して生成することであって、前記数のネストされたメッセージが、前記第1の領域に関連付けられる第1のタイプの第1のネストされたメッセージと前記第2の領域に関連付けられる第2のタイプの第2のネストされたメッセージとを含み、前記ピクチャのサンプルが、前記ピクチャの前記第1の領域および前記第2の領域の中に含まれる場合に、前記第1のネストされたメッセージは、前記第1の領域識別値が前記第2の領域識別値よりも大きいことに基づいて、前記サンプルに適用可能である、生成することと、
前記第1のシンタックス要素および前記第2のシンタックス要素を、前記符号化されたビデオビットストリームと関連してシグナリングされる前記領域ネスティングメッセージに含めることと
を行うように構成される、装置。
【請求項２】
前記領域ネスティングメッセージが領域ネスティング補足強化情報(SEI)メッセージであり、前記数のネストされたメッセージにおける各メッセージが、ネストされたSEIメッセージである、請求項1に記載の装置。
【請求項３】
前記第1のネストされたメッセージが、データの第1のセットを含み、データの前記第1のセットが、前記第1の領域識別値に基づいて前記第1の領域に対して第1の関数を実行するために使用される、請求項1に記載の装置。
【請求項４】
前記第1のネストされたメッセージが、データの第1のセットを含み、データの前記第1のセットが、前記第1の領域識別値に基づいて、前記第1の領域の前記ビデオビットストリームを復号するための特性、または前記第1の領域に対して復号されたデータを後処理するための特性を指定する、請求項1に記載の装置。
【請求項５】
前記ピクチャの前記第1の領域を定義する領域データが、前記領域ネスティングメッセージに一度含まれる、請求項1に記載の装置。
【請求項６】
前記第1のネストされたメッセージが、前記第1の領域識別値に関連付けられるデータのセットを含み、前記第1の領域識別値は、前記第1の領域が前記データのセットに関連付けられることを示す、請求項1に記載の装置。
【請求項７】
前記第1の領域識別値および前記第2の領域識別値が前記第1のネストされたメッセージに含まれ、前記第1のネストされたメッセージは、データの第1のセットが前記第1の領域および前記第2の領域の各々に独立に適用可能であることを示す、請求項1に記載の装置。
【請求項８】
前記第2のネストされたメッセージが、前記第1の領域識別値に関連付けられるデータのセットを含み、前記第1の領域識別値は、前記第1の領域が前記データのセットと関連付けられることを示す、請求項1に記載の装置。
【請求項９】
前記プロセッサが、
前記第1の領域の1つまたは複数の境界、および前記第1の領域に含まれるサンプルのうちの少なくとも1つを定義する領域データを前記領域ネスティングメッセージに関して生成するように構成される、請求項1に記載の装置。
【請求項１０】
前記プロセッサが、
前記ピクチャの1つまたは複数の境界からの、前記第1の領域の1つまたは複数の境界の1つまたは複数のオフセットを定義する領域データを前記領域ネスティングメッセージに関して生成するように構成される、請求項1に記載の装置。
【請求項１１】
前記プロセッサが、
長方形の領域として前記第1の領域を定義する領域データを前記領域ネスティングメッセージに関して生成するように構成される、請求項1に記載の装置。
【請求項１２】
前記ピクチャの前記第2の領域に適用可能である前記第1のタイプの前記第2のネストされたメッセージが、前記サンプルに適用可能でない、請求項1に記載の装置。
【請求項１３】
前記領域ネスティングメッセージがさらに、前記領域ネスティングメッセージの目的を特定するシンタックス要素を含む、請求項1に記載の装置。
【請求項１４】
前記数のネストされたメッセージのうちのあるネストされたメッセージが、前記ネストされたメッセージが前記領域ネスティングメッセージにおいてネストされていないかのように、同じ持続性を有する、請求項1に記載の装置。
【請求項１５】
前記領域ネスティングメッセージが、前記第1のネストされたメッセージに対するインデックスのセットを含み、インデックスの前記セットが、前記第1のネストされたメッセージに関連付けられるデータのセットが適用されるべき1つまたは複数の領域を示す、請求項1に記載の装置。
【請求項１６】
インデックスの前記セットが少なくとも前記第1の領域識別値を含む、請求項15に記載の装置。
【請求項１７】
ピクチャをキャプチャするためのカメラを有するモバイルデバイスを備える、請求項1に記載の装置。
【請求項１８】
前記第1の領域識別値および前記第2の領域識別値が前記第1のネストされたメッセージに含まれることに基づき、前記第1のネストされたメッセージに関連付けられる第1の関数が、前記ピクチャの前記第1の領域および前記第2の領域に適用されるように構成される、請求項1に記載の装置。
【請求項１９】
ビデオデータを復号する方法であって、
ビデオビットストリームを受信するステップと、
前記ビデオビットストリーム内に含まれるピクチャに関連付けられる領域ネスティングメッセージを取得するステップであって、前記領域ネスティングメッセージが、前記領域ネスティングメッセージに含まれる或る数のネストされたメッセージと或る数の前記ピクチャの領域との関連付けを示す、ステップと、
前記領域ネスティングメッセージにより指定された前記数のピクチャの領域を示す第1のシンタックス要素を、前記領域ネスティングメッセージにおいて受信するステップであって、前記数の領域が、前記ビデオビットストリームの前記ピクチャの第1の領域および前記ピクチャの第2の領域を含む、ステップと、
前記ピクチャの前記第1の領域を特定する第1の領域識別値と前記ピクチャの前記第2の領域を特定する第2の領域識別値とを前記領域ネスティングメッセージにおいて受信するステップであって、前記第1の領域識別値が前記第2の領域識別値よりも大きい、ステップと、
前記領域ネスティングメッセージ内の前記数のネストされたメッセージを示す第2のシンタックス要素を、前記領域ネスティングメッセージにおいて受信するステップであって、前記数のネストされたメッセージが、前記第1の領域に関連付けられる第1のタイプの第1のネストされたメッセージと前記第2の領域に関連付けられる第2のタイプの第2のネストされたメッセージとを含む、ステップと、
前記ピクチャのサンプルが、前記ピクチャの前記第1の領域および前記第2の領域の中に含まれていることを決定するステップと、
前記第1の領域識別値が前記第2の領域識別値よりも大きいことに基づいて、前記第1のネストされたメッセージが前記サンプルに適用されることを決定し、前記第2のネストされたメッセージが前記サンプルに適用されないことを決定するステップと
を含む、方法。
【請求項２０】
前記第1のネストされたメッセージがデータの第1のセットを含み、データの前記第1のセットが、前記第1の領域識別値に基づいて前記第1の領域に対して第1の関数を実行するために使用される、請求項19に記載の方法。
【請求項２１】
前記ピクチャを復号するステップと、
データの前記第1のセットを使用して前記ピクチャの前記第1の領域に対して前記第1の関数を実行するステップとをさらに備え、前記第1の関数が前記第1の領域識別値に基づいて前記第1の領域に対して実行される、請求項20に記載の方法。
【請求項２２】
前記第1のネストされたメッセージがデータの第1のセットを含み、データの前記第1のセットが、前記第1の領域識別値に基づいて、前記第1の領域の前記ビデオビットストリームを復号するための特性または前記第1の領域に対する後処理復号されたデータを指定する、請求項19に記載の方法。
【請求項２３】
前記領域ネスティングメッセージが領域ネスティング補足強化情報(SEI)メッセージであり、前記数のネストされたメッセージがネストされたSEIメッセージである、請求項19に記載の方法。
【請求項２４】
前記ピクチャの前記第1の領域を定義する領域データが、前記領域ネスティングメッセージに一度含まれる、請求項19に記載の方法。
【請求項２５】
前記第1のネストされたメッセージが、前記第1の領域識別値に関連付けられるデータのセットを含み、前記第1の領域識別値は、前記第1の領域が前記データのセットと関連付けられることを示す、請求項19に記載の方法。
【請求項２６】
前記第1の領域識別値および前記第2の領域識別値が前記第1のネストされたメッセージに含まれ、前記第1のネストされたメッセージは、データの第1のセットが前記第1の領域および前記第2の領域の各々に独立に適用可能であることを示す、請求項19に記載の方法。
【請求項２７】
第2のネストされたメッセージが、前記第1の領域識別値に関連付けられるデータのセットを含み、前記第1の領域識別値は、前記第1の領域が前記データのセットと関連付けられることを示す、請求項19に記載の方法。
【請求項２８】
前記領域ネスティングメッセージの領域データが、前記第1の領域の1つまたは複数の境界を定義し、または前記第1の領域に含まれるサンプルを定義する、請求項19に記載の方法。
【請求項２９】
前記領域ネスティングメッセージの領域データが、前記ピクチャの1つまたは複数の境界からの、前記第1の領域の1つまたは複数の境界の1つまたは複数のオフセットを定義する、請求項19に記載の方法。
【請求項３０】
前記領域ネスティングメッセージの領域データが、長方形の領域として前記第1の領域を定義する、請求項19に記載の方法。
【請求項３１】
前記ピクチャの前記第2の領域に適用可能である前記第1のタイプの前記第2のネストされたメッセージが、前記サンプルに適用可能でない、請求項19に記載の方法。
【請求項３２】
前記領域ネスティングメッセージがさらに、前記領域ネスティングメッセージの目的を特定するシンタックス要素を含む、請求項19に記載の方法。
【請求項３３】
前記数のネストされたメッセージのうちのあるネストされたメッセージが、前記ネストされたメッセージが前記領域ネスティングメッセージにおいてネストされていないかのように、同じ持続性を有する、請求項19に記載の方法。
【請求項３４】
前記領域ネスティングメッセージが、前記第1のネストされたメッセージに対するインデックスのセットを含み、インデックスの前記セットが、前記第1のネストされたメッセージに関連付けられるデータのセットが適用されるべき1つまたは複数の領域を示す、請求項19に記載の方法。
【請求項３５】
インデックスの前記セットが少なくとも前記第1の領域識別値を含む、請求項34に記載の方法。
【請求項３６】
前記第1の領域識別値および前記第2の領域識別値が前記第1のネストされたメッセージに含まれることに基づき、前記第1のネストされたメッセージに関連付けられる第1の関数を前記ピクチャの前記第1の領域および前記第2の領域に適用するステップをさらに含む、請求項19に記載の方法。
【請求項３７】
ビデオビットストリームを受信するように構成された受信機と、
前記ビデオビットストリームのビデオデータを記憶するように構成されたメモリと、
回路内で実行されるプロセッサと
を備え、前記プロセッサが、
前記ビデオビットストリーム内に含まれるピクチャに関連付けられる領域ネスティングメッセージを取得することであって、前記領域ネスティングメッセージが、前記領域ネスティングメッセージに含まれる或る数のネストされたメッセージと或る数の前記ピクチャの領域との関連付けを示す、取得することと、
前記領域ネスティングメッセージにより指定された前記数のピクチャの領域を示す第1のシンタックス要素を、前記領域ネスティングメッセージにおいて受信することであって、前記数の領域が、前記ビデオビットストリームの前記ピクチャの第1の領域および前記ピクチャの第2の領域を含む、受信することと、
前記ピクチャの前記第1の領域を特定する第1の領域識別値と前記ピクチャの前記第2の領域を特定する第2の領域識別値とを前記領域ネスティングメッセージにおいて受信することであって、前記第1の領域識別値が前記第2の領域識別値よりも大きい、受信することと、
前記領域ネスティングメッセージ内の前記数のネストされたメッセージを示す第2のシンタックス要素を、前記領域ネスティングメッセージにおいて受信することであって、前記数のネストされたメッセージが、前記第1の領域に関連付けられる第1のタイプの第1のネストされたメッセージと前記第2の領域に関連付けられる第2のタイプの第2のネストされたメッセージとを含む、受信することと、
前記ピクチャのサンプルが、前記ピクチャの前記第1の領域および前記第2の領域の中に含まれていることを決定することと、
前記第1の領域識別値が前記第2の領域識別値よりも大きいことに基づいて、前記第1のネストされたメッセージが前記サンプルに適用されることを決定し、前記第2のネストされたメッセージが前記サンプルに適用されないことを決定することと
を行うように構成された、装置。
【請求項３８】
前記第1のネストされたメッセージがデータの第1のセットを含み、データの前記第1のセットが、前記第1の領域識別値に基づいて前記第1の領域に対して第1の関数を実行するために使用される、請求項37に記載の装置。
【請求項３９】
前記プロセッサがさらに、
前記ピクチャを復号することと、
データの前記第1のセットを使用して前記ピクチャの前記第1の領域に対して前記第1の関数を実行することとを行うように構成され、前記第1の関数が前記第1の領域識別値に基づいて前記第1の領域に対して実行される、請求項38に記載の装置。
【請求項４０】
前記第1のネストされたメッセージがデータの第1のセットを含み、データの前記第1のセットが、前記第1の領域識別値に基づいて、前記第1の領域の前記ビデオビットストリームを復号するための特性または前記第1の領域に対する後処理復号されたデータを指定する、請求項37に記載の装置。
【請求項４１】
前記領域ネスティングメッセージが領域ネスティング補足強化情報(SEI)メッセージであり、前記数のネストされたメッセージがネストされたSEIメッセージである、請求項37に記載の装置。
【請求項４２】
前記ピクチャの前記第1の領域を定義する領域データが、前記領域ネスティングメッセージに一度含まれる、請求項37に記載の装置。
【請求項４３】
前記第1のネストされたメッセージが、前記第1の領域識別値に関連付けられるデータのセットを含み、前記第1の領域識別値は、第1の領域が前記データのセットと関連付けられることを示す、請求項37に記載の装置。
【請求項４４】
前記第1の領域識別値および前記第2の領域識別値が前記第1のネストされたメッセージに含まれ、前記第1のネストされたメッセージは、データの第1のセットが前記第1の領域および前記第2の領域の各々に独立に適用可能であることを示す、請求項37に記載の装置。
【請求項４５】
第2のネストされたメッセージが、前記第1の領域識別値に関連付けられるデータのセットを含み、前記第1の領域識別値は、前記第1の領域が前記データのセットと関連付けられることを示す、請求項37に記載の装置。
【請求項４６】
前記領域ネスティングメッセージの領域データが、前記第1の領域の1つまたは複数の境界を定義し、または前記第1の領域に含まれるサンプルを定義する、請求項37に記載の装置。
【請求項４７】
前記領域ネスティングメッセージの領域データが、前記ピクチャの1つまたは複数の境界からの、前記第1の領域の1つまたは複数の境界の1つまたは複数のオフセットを定義する、請求項37に記載の装置。
【請求項４８】
前記領域ネスティングメッセージの領域データが、長方形の領域として前記第1の領域を定義する、請求項37に記載の装置。
【請求項４９】
前記ピクチャの前記第2の領域に適用可能である前記第1のタイプの前記第2のネストされたメッセージが、前記サンプルに適用可能でない、請求項37に記載の装置。
【請求項５０】
前記領域ネスティングメッセージがさらに、前記領域ネスティングメッセージの目的を特定するシンタックス要素を含む、請求項37に記載の装置。
【請求項５１】
前記数のネストされたメッセージのうちのあるネストされたメッセージが、前記ネストされたメッセージが前記領域ネスティングメッセージにおいてネストされていないかのように、同じ持続性を有する、請求項37に記載の装置。
【請求項５２】
前記領域ネスティングメッセージが、前記第1のネストされたメッセージに対するインデックスのセットを含み、インデックスの前記セットが、前記第1のネストされたメッセージに関連付けられるデータのセットが適用されるべき1つまたは複数の領域を示す、請求項37に記載の装置。
【請求項５３】
インデックスの前記セットが少なくとも前記第1の領域識別値を含む、請求項52に記載の装置。
【請求項５４】
前記ビデオデータを表示するためのディスプレイをさらに備える、請求項37に記載の装置。
【請求項５５】
カメラを有するモバイルデバイスを備える、請求項37に記載の装置。
【請求項５６】
前記プロセッサが、
前記第1の領域識別値および前記第2の領域識別値が前記第1のネストされたメッセージに含まれることに基づき、前記第1のネストされたメッセージに関連付けられる第1の関数を前記ピクチャの前記第1の領域および前記第2の領域に適用するように構成された請求項37に記載の装置。
【請求項５７】
命令を記憶したコンピュータ可読記録媒体であって、前記命令が、1つまたは複数のプロセッサによって実行されると、前記1つまたは複数のプロセッサに、
ビデオデータを取得することと、
前記ビデオデータを使用して、符号化されたビデオビットストリーム内に含まれるピクチャと関連付けられる領域ネスティングメッセージを生成することであって、前記領域ネスティングメッセージが、前記領域ネスティングメッセージに含まれる或る数のネストされたメッセージと或る数の前記ピクチャの領域との関連付けを示す、生成することと、
前記領域ネスティングメッセージにより指定された前記数のピクチャの領域を示す第1のシンタックス要素を前記領域ネスティングメッセージに関して生成することであって、前記数の領域が、少なくとも、前記符号化されたビデオビットストリームの前記ピクチャの第1の領域および前記ピクチャの第2の領域を含む、生成することと、
前記ピクチャの前記第1の領域を特定する第1の領域識別値と、前記ピクチャの前記第2の領域を特定する第2の領域識別値とを、前記領域ネスティングメッセージに関して生成することであって、前記第1の領域識別値が前記第2の領域識別値よりも大きい、生成することと、
前記領域ネスティングメッセージ内の前記数のネストされたメッセージを示す第2のシンタックス要素を前記領域ネスティングメッセージに関して生成することであって、前記数のネストされたメッセージが、前記第1の領域に関連付けられる第1のタイプの第1のネストされたメッセージと前記第2の領域に関連付けられる第2のタイプの第2のネストされたメッセージとを含み、前記ピクチャのサンプルが、前記ピクチャの前記第1の領域および前記第2の領域の中に含まれる場合に、前記第1のネストされたメッセージは、前記第1の領域識別値が前記第2の領域識別値よりも大きいことに基づいて、前記サンプルに適用可能である、生成することと、
前記第1のシンタックス要素および前記第2のシンタックス要素を、前記符号化されたビデオビットストリームと関連してシグナリングされる前記領域ネスティングメッセージに含めることと
を行わせる、コンピュータ可読記録媒体。
【請求項５８】
ビデオデータを復号するための装置であって、
ビデオデータを取得するための手段と、
前記ビデオデータを使用して、符号化されたビデオビットストリーム内に含まれるピクチャと関連付けられる領域ネスティングメッセージを生成するための手段であって、前記領域ネスティングメッセージが、前記領域ネスティングメッセージに含まれる或る数のネストされたメッセージと或る数の前記ピクチャの領域との関連付けを示す、手段と、
前記領域ネスティングメッセージにより指定された前記数のピクチャの領域を示す第1のシンタックス要素を前記領域ネスティングメッセージに関して生成するための手段であって、前記数の領域が、少なくとも、前記符号化されたビデオビットストリームの前記ピクチャの第1の領域および前記ピクチャの第2の領域を含む、手段と、
前記ピクチャの前記第1の領域を特定する第1の領域識別値と、前記ピクチャの前記第2の領域を特定する第2の領域識別値とを、前記領域ネスティングメッセージに関して生成するための手段であって、前記第1の領域識別値が前記第2の領域識別値よりも大きい、手段と、
前記領域ネスティングメッセージ内の前記数のネストされたメッセージを示す第2のシンタックス要素を前記領域ネスティングメッセージに関して生成するための手段であって、前記数のネストされたメッセージが、前記第1の領域に関連付けられる第1のタイプの第1のネストされたメッセージと前記第2の領域に関連付けられる第2のタイプの第2のネストされたメッセージとを含み、前記ピクチャのサンプルが、前記ピクチャの前記第1の領域および前記第2の領域の中に含まれる場合に、前記第1のネストされたメッセージは、前記第1の領域識別値が前記第2の領域識別値よりも大きいことに基づいて、前記サンプルに適用可能である、手段と、
前記第1のシンタックス要素および前記第2のシンタックス要素を、前記符号化されたビデオビットストリームと関連してシグナリングされる前記領域ネスティングメッセージに含めるための手段と
を備える、装置。